(57)【特許請求の範囲】
【請求項１】
紙を主体とするブランク板を成形金型内に挿入し、射出成形することによって樹脂と前記ブランク板とを一体化してなる複合容器において、
前記樹脂と相溶性のないカットテープを前記ブランク板の最内層に固着するとともに、
前記樹脂で成形される部分との境界に沿って前記ブランク板にハーフカットを設けることを特徴とする複合容器。
【請求項２】
前記ブランク板の少なくとも一部には、カットテープを剥離し、摘みやすいように、切り欠きまたは切り込み部が形成されている請求項１記載の複合容器。
【請求項３】
前記ブランク板に貼着するカットテープによって、容器の胴部が切り裂かれやすいように、カットテープの両側に沿って、前記ブランク板にハーフカットが施されている請求項１、２記載の複合容器。
【請求項４】
容器の射出樹脂で成形される開口部には、容器を分離しやすいように、薄肉部が形成されている請求項１乃至３記載の複合容器。
【発明の詳細な説明】
【０００１】
【発明の属する技術分野】
本発明は、紙を主体とするブランク板を成形金型内に挿入し、これに樹脂を射出することによって一体成形した複合容器に関するものである。
【０００２】
【従来の技術】
紙を主体とするブランク板を成形金型内に挿入し、射出成形することによって樹脂と一体化してなる複合容器は、従来より使用されてきた。
このような複合容器は、同サイズのプラスチック単体容器と比較すると、軽量で、表面意匠性が高く、かつ、焼却廃棄時に発生する熱量が小さい。
【０００３】
【発明が解決しようとする課題】
しかしながら、現状の複合容器では使用直後に廃棄する際、バラバラに破壊しにくいため非常にかさばり、家庭でのゴミの発生量を抑えることができないという点が問題として残っていた。
そこで本発明は、上記問題を解決するために創出されたもので、その目的とするところは、複合容器において、容器を廃棄する際、容易にバラバラに解体でき、かさばらずに廃棄することができるようにすることにある。
【０００４】
【課題を解決するための手段】
以上のような目的を達成するために、本発明にあっては、複合容器を次のような構成とするものである。すなわち、紙を主体とするブランク板を成形金型内に挿入し、射出成形することによって樹脂と一体化してなる複合容器において、射出樹脂と相溶性のないカットテープを、前記ブランク板の最内層に固着するとともに、前記ブランク板の少なくとも一部に、カットテープを剥離し、摘みやすいように切り欠きまたは切り込み部を形成し、また、このカットテープによって、容器の胴部が切り裂かれやすいように、カットテープの両側に沿って、前記ブランク板にハーフカットを施すとともに、容器の射出樹脂で成形される部分が分離しやすいように、前記ブランク板と射出樹脂で成形される部分との境界に沿って、前記ブランク板にハーフカットを施し、容器の射出樹脂で成形される開口部に、容器を分離しやすいように、薄肉部を形成した構成である。
【０００５】
【発明の実施の形態】
以下、本発明の実施の形態を図面にもとづいて説明する。
図１、図２に示すものは、本発明における複合容器であって、図３は、この複合容器（Ａ）を構成するブランク板である。
この複合容器（Ａ）は、図３のブランク板（ａ）で示すような底部（１）と、これの両側に連設した、容器の胴部（２）を形成する半周胴片（２ａ）（２ａ）によって構成されるもので、図１、図２で示す容器の底部（１）及び胴部（２）を構成する１枚のブランク板（ａ）を、成形金型内に納め、これに樹脂を射出し、ブランク板（ａ）の両端部（３ａ）（３ａ）の接合間隙部（３）、及び底部（１）と胴部（２）の接合間隙部（４）、及び開口部（５）を射出樹脂で埋めて一体成形したものである。
また、複合容器を形成するための射出樹脂は、例えばポリプロピレン、ポリエチレン、ポリスチレン等であって、ブランク板と相溶性を有する樹脂であればよい。
一方、ブランク板の構成は、例えば、延伸ポリプロピレン（１５μ）／ポリエチレン（１５μ）／耐酸紙３００ｇ/   ／ポリエチレン（１５μ）／無延伸ポリプロピレン（３０μ）の積層されたもの等である。
このような積層のブランク板（ａ）を、成形金型の雌型内面に係止し、これに雄型を嵌合した後、樹脂を射出し、ブランク板（ａ）の両端部（３ａ）（３ａ）の接合間隙部（３）、及び底部（１）と胴部（２）の接合間隙部（４）、及び開口部（５）を射出樹脂で埋めて一体成形するものである。
【０００６】
本発明は、このような紙を主体とする複合容器（Ａ）において、図１乃至図３で示すように、ブランク板（ａ）の両端部（３ａ）（３ａ）の接合間隙部（３）、及び底部（１）と胴部（２）の接合間隙部（４）とは別のところで、ブランク板（ａ）の最内層の内面側の少なくとも一部に、射出樹脂と相溶性のない素材（例えば、ポリエステル（１００μ）等）でできたカットテープ（７）を薄く貼着したものであって、このカットテープ（７）をガイドとして容器を引き裂くことにより、複合容器（Ａ）を解体しやすくしたものである。
すなわち、図２で示すように、容器内部に貼着されているカットテープ（７）を、射出樹脂と仮接着している摘み部分（６）から剥離し、このカットテープ（７）を手等で摘んで引っ張ることによって、容器の胴部（２）をカットテープ（７）とともに切り裂き、このカットテープ（７）を底部（１）を経由して反対側の容器の胴部（２）まで切り裂くと、複合容器（Ａ）が図４のように２つに分解されるものである。
そして、これによって、容器廃棄時のゴミの減容化を計るものである。
なお、図３のブランク板（ａ）で示すものは、カットテープ（７）を、一方の半周胴片（２ａ）の上部から、底部（１）を通って、他方の半周胴片（２ａ）の上部まで貼着しているが、本発明は、複合容器（Ａ）を解体できる程度にカットテープ（７）が貼着されていればよく、この図示のものに限定されるものではない。
また、このカットテープ（７）は、図１で示すように、外側からは見えなくなっている方が好ましい。
【０００７】
他方、前記カットテープ（７）の摘み部分（６）は、射出樹脂とカットテープとが強固に接着しないように、つまり、剥離性をもつようにするのが好ましく、例えば、射出樹脂がポリプロピレンの場合、カットテープをポリエステルフィルムにする等して構成するもので、この他に、射出樹脂部分から剥しやすくするものであれば、適当なものをブランク板にコーティングしてもよい。
また、このとき、カットテープ（７）の剥離部分、すなわち射出樹脂と仮接着している摘み部分（６）、もしくは摘み部分の両側に当たるブランク板の少なくとも一部に切り欠き部（８）を設ければ、カットテープ（７）が剥しやすくなる。
なお、切り欠き部（８）ではなく、この射出樹脂と仮接着している摘み部分（６）と、摘み部分（６）の両側に当たるブランク板との間に、単に切り込みを入れておくだけでもよい。
ちなみに、図示のものは、射出樹脂と仮接着している摘み部分（６）の両側に当たるブランク板の一部に切り欠き部（８）を設けている。
【０００８】
次に、このカットテープ（７）を手等で引っ張って、容器の胴部（２）を切り裂くが、このときカットテープ（７）の両側に沿って、ブランク板（ａ）に予めハーフカット（９）を施しておけば、カットテープ（７）を引っ張る力をあまり必要としなくなるし、きれいに容器の胴部（２）を切り裂くことができる。
なお、図示のものは、容器の内面側から紙層内までハーフカットが施されているが、ハーフカットの入れ方はこれに限定されるものではない。
そして、カットテープ（７）を引っ張って、容器の一方の胴部（２）を切り裂き、底部（１）を経由して反対側の胴部（２）の上部まで切り裂いたら、射出樹脂で成形された容器開口部（５）を何らかの手段によって切断し、複合容器（Ａ）を図４のように分離させる。
なお、このとき、図１、図２で示すように、射出樹脂で成形された容器開口部（５）のカットテープ（７）の延長に当たる部分に、薄肉部（１０）（１０）を形成しておけば、容器を外側から押圧することによって、容器開口部（５）が簡単に２つに分離できる。
【０００９】
また、複合容器（Ａ）の射出樹脂で成形される部分と、紙を主体とするブランク板（ａ）との境界に沿ってハーフカットを施せば、このハーフカットによって、これらを切り離すことができ、射出樹脂で成形した部分と、紙の部分、すなわちブランク板とが極めて容易に解体できるため、廃棄する上でゴミがかさばらず、しかも分別して廃棄できる。
【００１０】
このように、本発明は、予めブランク板に設けるハーフカットとカットテープを利用し、複合容器を解体するものであるが、２つに解体した容器をさらに折り畳んで廃棄すれば、ゴミの発生量が抑えられる。
すなわち、紙を主体とするブランク板に、解体された容器が折り畳みやすいように折線（図示しない）を設けておけば、２つに解体された後の容器を容易に折り畳むことができ、廃棄する上でのゴミの減容化になって、非常に有効である。
【００１１】
図５は本発明における別の実施の形態を示す複合容器であって、図６は、この複合容器（Ｂ）を構成するブランク板である。
この複合容器（Ｂ）は、容器の胴部（２）を構成する１枚のブランク板（ｂ）を、成形金型内に納め、これに樹脂を射出し、ブランク板（ｂ）の両端部（３ｂ）（３ｂ）の接合間隙部（３）、底部（１）及び開口部（５）を射出樹脂で埋めて一体成形したものである。
この複合容器（Ｂ）の場合には、ブランク板（ｂ）を筒状にまるめることによって容器胴部（２）が形成される胴巻タイプの複合容器であるから、図６で示すように、ブランク板（ｂ）の最内層の少なくとも一部に、ブランク板（ｂ）の容器胴部（２）の上端から下端（あるいは下端から上端）に向かって、カットテープ（７）が貼着されていればよい。
なお、カットテープ（７）を貼る位置等は、図６で示すようなブランク板（ｂ）の両端部（３ｂ）（３ｂ）の接合間隙部（３）と反対側の位置に貼着するものに限定されるものではなく、複合容器（Ｂ）を解体しやすいように貼着されていれば、どのように貼着されていてもよい。
【００１２】
実際に、この複合容器（Ｂ）を廃棄するときには、前述の複合容器（Ａ）と同様に、まずブランク板（ｂ）に貼着してあるカットテープ（７）を引っ張って、容器胴部（２）を切り裂く。
そして、ブランク板（ｂ）に形成されているハーフカット（９）に沿って、容器胴部（２）と、射出樹脂で成形された容器開口部（５）及び底部（１）とを切り離し、複合容器（Ｂ）を解体する。
なお、特に、この複合容器（Ｂ）の場合には、図６で示すように、ブランク板（ｂ）全面にわたって予めハーフカット（９）を施しておいた方が、ブランク板を容器からはぎ取りやすく、容器を解体しやすい。
【００１３】
以上のように、何れにしても、本発明によれば、紙を主体とするブランク板に樹脂を射出して成形する複合容器において、ブランク板にカットテープを貼着することによって、容器が容易に解体できるし、射出樹脂で成形される部分と紙の部分とが容易に分離できるため、廃棄時に容器がかさばらない。
そのため、家庭でのゴミの発生量を抑えることができ、ゴミの減容化になる。よって、本発明は、環境問題に適した複合容器を提供するものとなり、非常に有効である。
なお、本発明における複合容器の形状やカットテープの大きさ等は、図示のものに限定されるものではなく、カットテープの貼着の仕方も、容器を切り裂くきっかけとなるものであればよい。
【００１４】
【発明の効果】
本発明によれば、紙を主体とするブランク板を成形金型内に挿入し、射出成形することによって樹脂とブランク板とを一体化してなる容器において、樹脂と相溶性のないカットテープをブランク板の最内層に固着するので、容器をブランク板に貼着したカットテープによって容易に解体できる。また、樹脂で成形される部分との境界に沿ってブランク板にハーフカットを設けるので、樹脂で成形された部分とブランク板とを容易に分離させることができる。
また、紙を主体とするブランク板に樹脂を射出して成形する複合容器を、ブランク板に貼着したカットテープによって容易に解体できるので、廃棄時に容器がかさばるという問題を解決できる。また、ハーフカットの入れ方によっては、複合容器の射出樹脂で成形された部分と紙の部分とを分離させることができるので、ゴミを分別して廃棄することができる。したがって、家庭でのゴミの発生量を抑えることができるとともに、ゴミの減容化になる。そして、結果的に環境問題に配慮した複合容器を提供できるものとなる。
【図面の簡単な説明】
【図１】本発明における複合容器の斜視図
【図２】本発明における複合容器のブランク板の平面図
【図３】本発明における複合容器の見取図
【図４】複合容器が２つに分離した様子を表す状態図
【図５】本発明における別の複合容器の斜視図
【図６】本発明における別の複合容器のブランク板の平面図
【符号の説明】
Ａ  複合容器
Ｂ  複合容器
ａ  ブランク板
ｂ  ブランク板
１  底部
２  胴部
５  開口部
７  カットテープ
８  切り欠き部
１０  薄肉部
【図１】
0003681793.tif 000002
【図２】
0003681793.tif 000003
【図３】
0003681793.tif 000004
【図４】
0003681793.tif 000005
【図５】
0003681793.tif 000006
【図６】
0003681793.tif 000007